(57)【特許請求の範囲】
【請求項１】
段ボール製のカルテ，レセプト等の書類を出し入れ可能に収納する物品収納箱であって、外箱、中箱、及び当接させることにより左右対称となる２個の内箱とからなり、該外箱は前面が唯一開口し、前面の上下及び／又は左右に設けたフラップによって開閉自在にしており、該中箱は前面が開口し、該外箱の前面開口部から圧入により嵌合可能にしており、該２個の内箱は前面が開口し、該内箱どうしを当接させて該中箱の前面開口部から圧入により嵌合可能にしており、該中箱を該外箱に圧入し、さらに、該２個の内箱どうしを当接させて該中箱に圧入して構成してあり、物品収納箱の天壁及び底壁に、対称になるように単数又は複数の貫通孔を穿設するとともに、物品収納箱の天壁に穿設している該貫通孔と、上段に積み重ねる物品収納箱の底壁に穿設している該貫通孔とに嵌合することにより、上段の物品収納箱と下段の物品収納箱とを連結することが可能な筒状又は柱状の連結紙管を設けていることを特徴とする物品収納箱。
【請求項２】
上記外箱のフラップを前面の上下左右に設け、該左右のフラップを内側に折り込んで、上記中箱を該外箱に圧入して構成しているとともに、上記内箱を上記中箱に圧入して、左側に位置する上記内箱の前面左側、及び、右側に位置する上記内箱の前面右側に、フラップを設けて前面を開閉自在になるように構成していることを特徴とする請求項１記載の物品収納箱。
【請求項３】
上記外箱に上記中箱を圧入することにより、該外箱の貫通孔と重合するように、該中箱に貫通孔を穿設していることを特徴とする請求項１または２記載の物品収納箱。
【請求項４】
上記外箱の側壁外側に着脱可能な固着部材を設けていることを特徴とする請求項１乃至３のいずれかに記載の物品収納箱。
【請求項５】
下段の物品収納箱の天壁に穿設している上記貫通孔と、上段に積み重ねる物品収納箱の底壁に穿設している上記貫通孔とに上記連結紙管を嵌合することにより、上段の物品収納箱と下段の物品収納箱とを連結して、複数段にわたり積み重ねていることを特徴とする請求項１乃至４のいずれかに記載の物品収納箱からなる物品収納箱の組立ユニット。
【請求項６】
複数個積み重ねられた物品収納箱と隣接する物品収納箱とを、上記外箱の側壁外側に着脱可能な固着部材によって複数列にわたり固着していることを特徴とする請求項５記載の物品収納箱の組立ユニット。
【発明の詳細な説明】
【０００１】
【発明の属する技術分野】
本発明は、カルテ，レセプト等の書類を出し入れ可能に収納する物品収納箱及びその組立ユニットに関する。
【０００２】
【従来の技術】
従来の物品収納箱は、前面が開口し、左右及び上下のフラップによって開閉可能とし、両側壁及び背壁に接する天壁及び底壁の側縁部にスリット透孔が穿設されている箱型ケース本体と、上側に係合凸部、下側に該係合凸部が嵌合可能な係合凹部が形成されており、該箱型ケース本体より若干小さい背壁補強板と、上側に係合凸部、下側に該係合凸部が嵌合可能な係合凹部が形成されているとともに、該箱型ケース本体の左右のフラップと重合するフラップ部が設けられている左側壁補強板及び右側壁補強板と、該箱型ケース本体の前面開口部から圧入により嵌合可能にしている角筒状補強胴枠と、を具備し、全てが段ボールからなっている物品収納箱であって、該箱型ケース本体の天壁の側縁部に穿設されているスリット透孔の内側から、該背壁補強板、左側壁補強板及び右側壁補強板の係合凸部を差し込み、該左側壁補強板及び右側壁補強板のフラップ部を該箱型ケース本体のフラップと同様に内側に折り込み、該角筒状補強胴枠を該箱型ケース本体の前面開口部から圧入して、構成している（登録実用新案第３０２６３４１号参照）。
【０００３】
また、この物品収納箱は、上記背壁補強板、左側壁補強板及び右側壁補強板の係合凸部を、上段に積み重ねる物品収納箱の箱型ケース本体の底壁側縁部に穿設されているスリット透孔から差し込んで、背壁補強板、左側壁補強板及び右側壁補強板の係合凹部に係合させることにより、複数個積み重ねている組立ユニットを構成している。
【０００４】
【発明が解決しようとする課題】
従来公知の物品収納箱は、背壁補強板、左側壁補強板及び右側壁補強板の係合凸部を、上段に積み重ねる物品収納箱の箱型ケース本体の底壁側縁部に穿設されているスリット透孔から差し込んで、背壁補強板、左側壁補強板及び右側壁補強板の係合凹部に係合させることにより、複数個積み重ねていた。この係合凸部は一枚の板状の段ボールからなっているため大変折れやすいという問題点があった。また、この係合凸部は天壁の左右及び後ろの側縁部に設けていたため、一度折れると位置合わせができないという問題点があったとともに、係合凸部と係合凹部とが係合できなくなると、安定性が悪くなり、物品収納箱の組立ユニットとして具合が悪いという問題点があった。
【０００５】
さらに、従来公知の物品収納箱は、外周には補強が多く加えられていたが、内側には殆ど補強が加えられていなかったため、物品収納箱を上段に積み重ねて組立ユニットを構成すると、比較的下段に有する物品収納箱の内側に力が加わった場合に、物品収納箱が内側に屈曲し、安定性が悪くなり、物品収納箱の組立ユニットとして具合が悪いという問題点があった。
【０００６】
【課題を解決するための手段】
上記課題を解決するために本発明物品収納箱は、段ボール製のカルテ，レセプト等の書類を出し入れ可能に収納する物品収納箱であって、外箱、中箱、及び当接させることにより左右対称となる２個の内箱とからなり、該外箱は前面が唯一開口し、前面の上下及び／又は左右に設けたフラップによって開閉自在にしており、該中箱は前面が開口し、該外箱の前面開口部から圧入により嵌合可能にしており、該２個の内箱は前面が開口し、該内箱どうしを当接させて該中箱の前面開口部から圧入により嵌合可能にしており、該中箱を該外箱に圧入し、さらに、該２個の内箱どうしを当接させて該中箱に圧入して構成していることを特徴とする。
【０００７】
また、上記外箱のフラップを前面の上下左右に設け、該左右のフラップを内側に折り込んで、上記中箱を該外箱に圧入して構成しているとともに、上記内箱を上記中箱に圧入して、左側に位置する上記内箱の前面左側、及び、右側に位置する上記内箱の前面右側に、フラップを設けて前面を開閉自在になるように構成していることを特徴とする。
【０００８】
また、物品収納箱の天壁及び底壁に、対称になるように単数又は複数の貫通孔を穿設するとともに、物品収納箱の天壁に穿設している該貫通孔と、上段に積み重ねる物品収納箱の底壁に穿設している該貫通孔とに嵌合することにより、上段の物品収納箱と下段の物品収納箱とを連結することが可能な筒状又は柱状の連結紙管を設けていることを特徴とする。
さらに、上記外箱に上記中箱を圧入することにより、該外箱の貫通孔と重合するように、該中箱に貫通孔を穿設していることを特徴とする。
加えて、上記外箱の側壁外側に着脱可能な固着部材を設けていることを特徴とする。
【０００９】
また、本発明物品収納箱の組立ユニットは、下段の物品収納箱の天壁に穿設している上記貫通孔と、上段に積み重ねる物品収納箱の底壁に穿設している上記貫通孔とに上記連結紙管を嵌合することにより、上段の物品収納箱と下段の物品収納箱とを連結して、複数段にわたり積み重ねていることを特徴とする。
さらに、複数個積み重ねられた物品収納箱と隣接する物品収納箱とを、上記外箱の側壁外側に着脱可能な固着部材によって複数列にわたり固着していることを特徴とする。
【００１０】
【発明の実施の形態】
発明の実施の形態は図面に示した実施例に基づいて説明する。
図１は本発明物品収納箱を組み立てた状態を示す斜視図であり、図２は本発明物品収納箱を分解している状態を示す斜視図である。また、図３は本発明物品収納箱を組み立てた状態を示す正面断面図である。さらに、図４は本発明物品収納箱の構成部材である外箱の展開図である。本発明物品収納箱は、段ボール製であって、外箱１０、中箱２０及び２個の内箱３０，４０から構成している。また、本実施例では、連結紙管５０をも設けている。
【００１１】
外箱１０は、前面が唯一開口しており、左右及び上下に設けているフラップ１１，１１’，１２，１２’によって開閉自在にしてある。これに対して、後面は隣接するフラップ１３’どうしを掛け合わせて、背壁１３を構成している。さらに、この外箱１０の天壁１４及び底壁１５には貫通孔１７，１９を対称に３か所ずつ穿設しているとともに、上下のフラップ１２，１２’及び左右の側壁１６外側に面ファスナー等の着脱可能な固着部材１８を設けている。
【００１２】
本実施例の中箱２０は、筒抜けになっている。即ち、中箱２０は前壁及び背壁を有しない。また、中箱２０は外箱１０の前面開口部から圧入できるように、外箱１０より若干小さく構成し、外箱１０に嵌合可能にしている。さらに、天壁２１及び底壁２２には貫通孔２４，２５を外箱１０に中箱２０が圧入することにより外箱１０の貫通孔１７，１９と重合するように、３か所ずつ穿設している。
【００１３】
内箱は、２個からなり、左右に当接させて、中箱２０の前面開口部から圧入できるように構成し、中箱２０に嵌合可能にしている。また、左右に当接させた際に左側に位置する内箱３０は、後面は開放しており、前面左側にフラップ３１を設けることにより、開閉自在にしてある。一方、左右に当接させた際に右側に位置する内箱４０は、内箱３０と同様に後面は開放している。前面右側にフラップ４１を設けることにより、開閉自在にしてある。
【００１４】
連結紙管５０は、物品収納箱単品においては、任意構成部材であるが、下記で述べる物品収納箱の組立ユニットにおいては、必須構成部材であり、本考案の特徴を有する構成部材である。連結紙管５０は筒状体又は柱状体であって、外箱１０及び中箱２０に穿設している貫通孔１７，１９，２４，２５に嵌合可能に構成している。また、組立ユニットを構成する際に上下の物品収納箱の安定性をよくするために、連結紙管５０の長さは、貫通孔１７，１９，２４，２５を有する天壁１４，２２及び底壁１５，２３の厚みの和と略同径であるとよい。
【００１５】
以上のように構成している外箱１０、中箱２０、内箱３０，４０及び連結紙管５０から、物品収納箱を形成する。これら構成部材は筒状体又は柱状体である連結紙管５０を除き段ボール板から構成しており、物品収納箱を形成する前に、各部材を以下のように形成する。まず、外箱１０は、図３で示してある通り、天壁１４、底壁１５及び左右の側壁１６は一綴りになっており、前面及び後面を構成するフラップ１１，１１’１２，１２’，１３’を設けている構成になっている。このような構成から、天壁１４と側壁１６とを糊着又はステープラーによって綴合せて４面を形成する。また、前面を構成するフラップ１２，１２’を開閉自在にする一方、フラップ１１，１１’を内側に折り込む。さらに、後面においては、隣接するフラップ１３’どうしを掛け合わせて背壁１３を形成する。これにより外箱１０を形成することができる。
【００１６】
また、中箱２０は前面及び後面が筒抜けになっているため、フラップを設けておらず、天壁２１と側壁２３とを糊着又はステープラーによって綴合せることにより、中箱２０を形成することができる。
【００１７】
さらに、内箱３０，４０は前面左側又は右側にフラップ３１，４１を設けている点を除いて、中箱２０と略同様な構成である。このような構成より、中箱２０と同様に、天壁３２，４２と側壁３４，４４とを糊着又はステープラーによって綴合せて４面を形成し、前面左側又は右側に設けているフラップ３１，４１を開閉自在にすることにより、内箱３０，４０を形成することができる。
【００１８】
このように構成した外箱１０、中箱２０及び内箱３０，４０から物品収納箱を形成する。外箱１０の左右のフラップ１１を内側に折り込んで、側壁１６の内側と当接させる。また、中箱２０を外箱１０の前面開口部から、中箱２０の側壁２３の後縁が外箱１０の背壁１３に当接するまで圧入する。この際に図３で示されているように外箱１０と中箱２０に穿設した貫通孔１７，２４及び貫通孔１９，２５が重合する。さらに、内箱３０の側壁３５と内箱４０の側壁４４とを当接させて、内箱３０，４０を中箱２０の前面開口部から、内箱３０，４０の側壁３４，３５，４４，４５の後縁が外箱１０の背壁１３に当接するまで圧入する。これにより、物品収納箱として使用することができる。
【００１９】
さらに、後述する複数段からなる組立ユニットを形成することを考慮して、図５で示しているように、重合している天壁１４，２１に穿設している貫通孔１７，２４に連結紙筒５０を嵌合するとよい。さらに、後述する複数列からなる組立ユニットを形成することを考慮して、側壁１６外側に面ファスナー等の着脱可能な固着部材１８を設けるとよい。加えて、図６で示しているように、物品収納箱の前面が容易に開放しないように、前面上側のフラップ１２の内側と前面下側のフラップ１２’の外側とに面ファスナー等の着脱可能な固着部材１８を設けて、固着させるとよい。
【００２０】
図７は上記で説明した物品収納箱を複数段にわたり積み重ね、さらに横に複数列にわたり並べることにより構成する組立ユニットの斜視図である。前述した通り、外箱１０及び中箱２０の天壁１４，２１及び底壁１５，２２には貫通孔１７，１９，２４，２５を３か所ずつ穿設しており、外箱１０に中箱２０を圧入することにより、貫通孔１７，２４及び貫通孔１９，２５が重合し、連結紙管５０を嵌合することができるようにしている。
【００２１】
このような構成を有する物品収納箱から組立ユニットを構成するには、先ず、図５で示すように、下段となる物品収納箱において、天壁１４，２１に穿設している貫通孔１７，２４に連結紙管５０を嵌合させる。この際、連結紙管５０の先縁と内箱３０，４０の天壁３２，４２とを当接させる。さらに、上段に積み重ねる物品収納箱において、底壁１５，２２に穿設している貫通孔１９，２５に、下段の物品収納箱に嵌合している連結紙管５０を嵌合させる。これにより、下段の物品収納箱と上段の物品収納箱とが連結する。これを複数段繰り返すことで組立ユニットを構成することができる。
【００２２】
さらに、物品収納箱の組立ユニットを複数列構成するには、夫々の物品収納箱の外箱１０の側壁１６に設けられている着脱可能な固着部材１８を隣接する物品収納箱に設けられている同様な固着部材１８に固着することにより、複数列からなる物品収納箱の組立ユニットを構成することができる。
【００２３】
【発明の効果】
叙上の如く本発明物品収納箱は、段ボール製のカルテ，レセプト等の書類を出し入れ可能に収納する物品収納箱であって、外箱、中箱、及び当接させることにより左右対称となる２個の内箱とからなり、該外箱は前面が唯一開口し、前面の上下及び／又は左右に設けたフラップによって開閉自在にしており、該中箱は前面が開口し、該外箱の前面開口部から圧入により嵌合可能にしており、該２個の内箱は前面が開口し、該内箱どうしを当接させて該中箱の前面開口部から圧入により嵌合可能にしており、該中箱を該外箱に圧入し、さらに、該２個の内箱どうしを当接させて該中箱に圧入して構成しているから、物品収納箱を組み立て易く、これに伴って、物品収納箱の組立ユニットも構成しやすいという効果を有する。さらに、２個の内箱どうしを当接させて中箱に圧入して構成しているから、物品収納箱の中央部分は２個の内箱の側壁によって強化され、物品収納箱を上段に積み重ねて組立ユニットを構成した際に、比較的下段に有する物品収納箱の中央部分に力が加わっても、物品収納箱の天壁の中央部分の屈曲を抑えることができる。よって、安定性のよい物品収納箱の組立ユニットを構成することができるという効果を有する。
【００２４】
また、上記外箱のフラップを前面の上下左右に設け、該左右のフラップを内側に折り込んで、上記中箱を該外箱に圧入して構成しているとともに、上記内箱を上記中箱に圧入して、左側に位置する上記内箱の前面左側、及び、右側に位置する上記内箱の前面右側に、フラップを設けて前面を開閉自在になるように構成しており、特に、該左右のフラップを内側に折り込んで、上記中箱を該外箱に圧入して構成しているから、物品収納箱を上段に積み重ねて組立ユニットを構成した際に、物品収納箱の中央部分のみならず、外箱の側壁と左右のフラップにより外側も補強されるので、物品収納箱の天壁の中央部分の屈曲を抑えることができるとともに、物品収納箱の側壁の屈曲を抑えることができる。よって、安定性のよい物品収納箱の組立ユニットを構成することができるという効果を有する。
【００２５】
さらに、物品収納箱の天壁及び底壁に、対称になるように単数又は複数の貫通孔を穿設するとともに、物品収納箱の天壁に穿設している該貫通孔と、上段に積み重ねる物品収納箱の底壁に穿設している該貫通孔とに嵌合することにより、上段の物品収納箱と下段の物品収納箱とを連結することが可能な筒状又は柱状の連結紙管を設けているから、下段の物品収納箱の天壁に穿設している上記貫通孔と、上段に積み重ねる物品収納箱の底壁に穿設している上記貫通孔とに上記連結紙管を嵌合すれば、上段の物品収納箱と下段の物品収納箱とを連結することができ、複数段からなる物品収納箱の組立ユニットを容易に構成することができるという効果を有する。
【００２６】
加えて、上記外箱に上記中箱が圧入することにより、該外箱の貫通孔と重合するように、該中箱に上記貫通孔を穿設しているから、上記貫通孔の溝の深さが上記中箱の厚さ分深くなり、上記連結紙管の長さを上段及び下段の物品収納箱の中箱の厚さ分長くすることが可能となり、その結果、上段の物品収納箱と下段の物品収納箱との連結を強化させることが可能となり、複数段からなる物品収納箱の組立ユニットの安定性の向上を図ることができるという効果を有する。
【００２７】
上記外箱の側壁外側に着脱可能な固着部材を有しているから、隣接する物品収納箱と連結することができ、複数列からなる物品収納箱の組立ユニットを容易に構成することができるという効果を有する。
【００２８】
また、本発明物品収納箱の組立ユニットは、下段の物品収納箱の天壁に穿設している上記貫通孔と、上段に積み重ねる物品収納箱の底壁に穿設している上記貫通孔とに上記連結紙管を嵌合することにより、下段の物品収納箱と上段の物品収納箱とを連結して、複数段にわたり積み重ねているから、下段の物品収納箱と上段の物品収納箱との位置合わせがしやすいという効果を有する。
【００２９】
さらに、複数個積み重ねられた物品収納箱と隣接する物品収納箱とを、上記外箱の側壁外側に着脱可能な固着部材によって複数列にわたり固着しているから、複数列からなる物品収納箱の組立ユニットを容易に構成することができるとともに、隣接する物品収納箱との位置合わせがしやすいという効果を有する。
【図面の簡単な説明】
【図１】本発明物品収納箱の実施例を示す見開きの状態の斜視図である。
【図２】図１図示の実施例の分解斜視図である。
【図３】本発明物品収納箱を組み立てた状態を示す正面断面図である。
【図４】本発明物品収納箱の構成部材である外箱の展開図である。
【図５】本発明物品収納箱の貫通孔と連結紙管との関係を示す断面側面図である。
【図６】本発明物品収納箱における固着部材を設けている実施例を示す断面側面図である。
【図７】本発明物品収納箱の組立ユニットの実施例を示す斜視図である。
【符号の説明】
１０  外箱
１１，１１’，１２，１２’  フラップ
１３  背壁
１３’  フラップ
１４  天壁
１５  底壁
１６  側壁
１７，１９  貫通孔
１８  固着部材
２０  中箱
２１  天壁
２２  底壁
２３  側壁
２４，２５  貫通孔
３０，４０  内箱
３１，４１  フラップ
３２，４２  天壁
３３，４３  底壁
３４，３５，４４，４５  側壁
５０  連結紙管
【図１】
0003834664.tif 000002
【図２】
0003834664.tif 000003
【図３】
0003834664.tif 000004
【図４】
0003834664.tif 000005
【図５】
0003834664.tif 000006
【図６】
0003834664.tif 000007
【図７】
0003834664.tif 000008